(57)【特許請求の範囲】
【請求項１】
ネットワークに接続された複数の装置、
及びこの複数の装置に接続され、上記各装置のデータベースに関する情報を有する保守ツール端末を備え、
上記各装置は、
上記ネットワーク上を伝送する全ての信号を定義した信号定義データベースと、
自装置が処理する信号のみについて信号属性を定義した固有定義データベースとを有し、
上記保守ツール端末は、上記各装置ごとに上記信号定義データベースと上記固有定義データベースとを連携する連携情報を格納した連携データベースを有し、
上記各装置のいずれかは、上記連携情報に基づいて、自装置と他の装置の固有定義データベース間の対応する信号属性を照合する照合手段を有し、
上記照合の結果、異なる信号属性がある場合には、自装置の信号属性によって上記他の装置の信号属性を置き換えることを特徴とする連携システム。
【請求項２】
上記照合手段を有する装置は、上記照合の結果、不一致がある場合に、自装置及び上記他の装置の固有定義データベースの該当する信号をマーキングすることを特徴とする請求項１記載の連携システム。
【請求項３】
上記照合手段を有する装置は、上記照合の結果、不一致がある場合で、上記他の装置に該当する信号属性がない場合には、自装置の信号属性を用いて、上記他の装置の信号属性データを生成することを特徴とする請求項１または請求項２記載の連携システム。
【発明の詳細な説明】
【技術分野】
【０００１】
この発明は、原子力発電所システムや火力発電所システム等のプラント監視システムにおける装置間でデータベースを連携する連携システムに関するものである。
【背景技術】
【０００２】
従来では、データベース同士を関連付ける方法として、データベース同士を関連付けた情報を統合データベースに格納し、データ変更時には関連するデータを検出し提示するようにしたものがあった。（例えば、特許文献１参照）
しかしながら、従来のものでは、一方のデータベースのデータ変更を他データベースに自動変更する機能、また、一方のデータベースから他データベースを自動生成する機能は無かった。
【先行技術文献】
【特許文献】
【０００３】
【特許文献１】特開平９−１６３９２号公報（第５〜１２頁、第１図）
【発明の概要】
【発明が解決しようとする課題】
【０００４】
従来は、一方のデータベースにおいて他データベースとインターフェースしているデータを変更する場合、各データベースにおいて個々に手動入力し、入力結果は目視確認する必要があった。
このように、入力作業に人手を介することで、作業時間が増加し、また、ヒューマンエラーによる誤りが発生する可能性が高いという問題があった。
【０００５】
この発明は、上述のような課題を解決するためになされたものであり、システムを構成する装置間で、装置ごとのデータベースを連携する連携システムを得ることを目的とする。
【課題を解決するための手段】
【０００６】
この発明に係わる連携システムにおいては、ネットワークに接続された複数の装置、及びこの複数の装置に接続され、各装置のデータベースに関する情報を有する保守ツール端末を備え、各装置は、ネットワーク上を伝送する全ての信号を定義した信号定義データベースと、自装置が処理する信号のみについて信号属性を定義した固有定義データベースとを有し、保守ツール端末は、各装置ごとに信号定義データベースと固有定義データベースとを連携する連携情報を格納した連携データベースを有し、各装置のいずれかは、連携情報に基づいて、自装置と他の装置の固有定義データベース間の対応する信号属性を照合する照合手段を有し、照合の結果、異なる信号属性がある場合には、自装置の信号属性によって他の装置の信号属性を置き換えるものである。
【発明の効果】
【０００７】
この発明によれば、ネットワークに接続された複数の装置、及びこの複数の装置に接続され、各装置のデータベースに関する情報を有する保守ツール端末を備え、各装置は、ネットワーク上を伝送する全ての信号を定義した信号定義データベースと、自装置が処理する信号のみについて信号属性を定義した固有定義データベースとを有し、保守ツール端末は、各装置ごとに信号定義データベースと固有定義データベースとを連携する連携情報を格納した連携データベースを有し、各装置のいずれかは、連携情報に基づいて、自装置と他の装置の固有定義データベース間の対応する信号属性を照合する照合手段を有し、照合の結果、異なる信号属性がある場合には、自装置の信号属性によって他の装置の信号属性を置き換えるので、複数の装置間の固有定義データベースの対応する信号属性を、人を介することなく同じにすることができる。
【図面の簡単な説明】
【０００８】
【図１】この発明の実施の形態１による監視制御システムを示す全体構成図である。
【図２】この発明の実施の形態１による監視制御システムを示す構成図である。
【図３】この発明の実施の形態２による監視制御システムを示す構成図である。
【図４】この発明の実施の形態３による監視制御システムを示す構成図である。
【発明を実施するための形態】
【０００９】
実施の形態１．
以下、この発明の実施の形態１を図に基づいて説明する。
図１は、この発明の実施の形態１による監視制御システムを示す全体構成図である。
図１において、監視制御システムは、次のように構成されている。
監視・操作端末１（装置）は、プラントを監視し、プラントを制御するための操作を行う。制御装置３（装置）は、制御ネットワーク２（ネットワーク）を介して監視・操作端末１と接続され、この監視・操作端末１の指示を受けて、プラント補機４を制御する。制御ネットワーク２では、主にプラント補機４に対する入出力信号が伝送される。保守ツール端末５は、監視・操作端末１と制御装置３に接続され、後述する統合データベースを有している。
【００１０】
図２は、この発明の実施の形態１による監視制御システムを示す構成図である。
図２において、１、３は図１におけるものと同一のものである。監視・操作端末１は、制御ネットワーク上のメモリアドレス１１ａ（信号定義データベース）と、入出力信号名称（監視操作端末）１２（固有定義データベース）の各データベースとを有するとともに、入出力信号名称（監視操作端末）１２と後述する入出力信号名称（制御装置）１３とを照合する照合機能１５（照合手段）を有する。
制御ネットワーク上のメモリアドレス１１ａは、制御ネットワーク２上で伝送される全てのプラント補機４に対する入出力信号データ（信号）が格納されている。入出力信号名称（監視操作端末）１２は、自監視・操作端末１で取り扱う入出力信号に対応する入出力信号名称（信号属性）を格納している。
【００１１】
制御装置３は、制御ネットワーク上のメモリアドレス１１ｂ（信号定義データベース）と、入出力信号名称（制御装置）１３（固有定義データベース）の各データベースを有する。
制御ネットワーク上のメモリアドレス１１ｂは、制御ネットワーク２上で伝送される全てのプラント補機４に対する入出力信号データ（信号）が格納されている。入出力信号名称（制御装置）１３は、自制御装置３で取り扱う入出力信号に対応する入出力信号名称（信号属性）を格納している。
制御ネットワーク上のメモリアドレス１１ａと制御ネットワーク上のメモリアドレス１１ｂとは、同一内容のデータベースである。
【００１２】
統合データベース６（連携データベース）は、保守ツール端末５に搭載され、後述する連携データ１４を有する。
各データベースは、保守ツール端末５上の統合データベース６に格納されている連携データ１４に含まれている、データベース間でインターフェースしているデータを互いに関連付ける連携情報によって、連携可能となっている。
すなわち、連携データ１４には、プラント補機４の入出力信号名称（監視操作端末）１２と入出力信号データの制御ネットワーク上のメモリアドレス１１ａとを関連付ける情報（連携情報）、及び、入出力信号名称（制御装置）１３と入出力信号データの制御ネットワーク上のメモリアドレス１１ｂとを関連付ける情報（連携情報）が格納されている。
制御ネットワーク上のメモリアドレス１１は、監視・操作端末１と制御装置３とで同一であるため、この制御ネットワーク上のメモリアドレス１１を基にして、一方の装置（監視・操作端末１または制御装置３）から他方の装置の入出力信号名称が特定可能となっている。
【００１３】
次に、動作について説明する。
監視・操作端末１の入出力信号名称（監視操作端末）１２と、制御装置３の入出力信号名称（制御装置）１３は、相互にインターフェースしているデータである。
監視・操作端末１の照合機能１５は、統合データベース６上の連携データ１４の連携情報に基づいて（連携情報を仲介して）、入出力信号名称（監視操作端末）１２と入出力信号名称（制御装置）１３のデータ同士の照合を実施する。
そして、監視・操作端末１は、照合結果を元に、制御装置３に、違いのあるデータの修正データを送信し、入出力信号名称（監視操作端末）１２を入出力信号名称（制御装置）１３に自動反映することで、両入出力信号名称の中で、インターフェースしているデータ同士を一致させる。
これにより、監視・操作端末１で入出力信号名称を変更した場合に、制御装置３に反映することが可能となる。
【００１４】
実施の形態１によれば、以上により、一方の装置の入出力信号名称のデータ変更時にインターフェースしている他の装置のデータを手動で変更する必要が無いため、作業時間の減少及びヒューマンエラーの軽減が可能である。
【００１５】
実施の形態２．
図３は、この発明の実施の形態２による監視制御システムを示す構成図である。
図３において、１、３、６、１１ａ、１１ｂ、１２〜１４は図２におけるものと同一のものである。
【００１６】
実施の形態１では、データベース間で相互にインターフェースしているデータについて、一方のデータを変更した場合に他方のデータと照合し、自動反映する機能について述べたが、実施の形態２は、図３に示すように、照合の結果が不一致であった場合に、データ内の不一致箇所を自動マーキングするようにしたものである。
【００１７】
実施の形態２でも、実施の形態１と同様に、監視・操作端末１の照合機能１５により、入出力信号名称（監視操作端末）１２と、インターフェースしている制御装置３の入出力信号名称（制御装置）１３との間で、統合データベース６上の連携データ１４の連携情報に基づいて、互いに対応するデータの照合を実施する。
照合の結果、データに不一致があった場合は、両データベース内の不一致のデータ箇所を自動マーキングする。このため、監視・操作端末１は、入出力信号名称（制御装置）１３の不一致箇所を制御装置３に送信し、制御装置３でマーキングさせる。
【００１８】
実施の形態２によれば、以上により、照合したデータ同士に差異があった場合、該当箇所を視覚的に判断することができる。
【００１９】
実施の形態３．
図４は、この発明の実施の形態３による監視制御システムを示す構成図である。
図４において、１、３、６、１１ａ、１１ｂ、１２〜１４は図２におけるものと同一の
ものである。
【００２０】
実施の形態１及び実施の形態２では、監視・操作端末１及び制御装置３に入出力信号名称（監視操作端末）１２、入出力信号名称（制御装置）１３がそれぞれ存在する場合におけるデータ照合、自動反映、差異マーキングについて述べたが、実施の形態３は、図４に示すように、制御装置３の入出力信号名称（制御装置）１３内のデータが存在しない場合に、監視・操作端末１の入出力信号名称（監視操作端末）１２を基にして、制御装置３の入出力信号名称（制御装置）１３内のデータを自動生成するようにしたものである。
【００２１】
実施の形態３でも、実施の形態１及び実施の形態２と同様に、監視・操作端末１の照合機能１５により、入出力信号名称（監視操作端末）１２と、制御装置３の入出力信号名称（制御装置）１３との間で、統合データベース６上の連携データ１４の連携情報に基づいて、互いのデータの照合を実施する。
照合の結果、入出力信号名称（制御装置）１３内にインターフェースするデータが存在しない場合、すなわち、入出力信号名称（制御装置）１３内に連携データ１４で定義された、制御装置３が必要とする入出力信号名称データが存在しない場合に、連携データ１４の連携情報に基づいて、制御ネットワーク上のメモリアドレス１１ｂに対応する入出力信号名称（制御装置）１３内の該当データを自動生成する。
このため、監視・操作端末１は、制御装置３が必要とする入出力信号名称データが存在しない場合に、該当データを生成して、制御装置３に送信し、制御装置３で、入出力信号名称（制御装置）１３内に生成させる。
【００２２】
実施の形態３によれば、以上により、一方の装置のデータを作成することで、インターフェースしている他の装置のデータを自動で生成することが可能であるため、作業時間の減少及びヒューマンエラーの軽減が可能である。
【００２３】
なお、本発明は、その発明の範囲内において、各実施の形態を自由に組み合わせたり、各実施の形態を適宜、変形、省略することが可能である。
【符号の説明】
【００２４】
１  監視・操作端末、２  制御ネットワーク、３  制御装置、４  プラント補機、５  保守ツール端末、６  統合データベース、１１  制御ネットワーク上のメモリアドレス、１２  入出力信号名称（監視操作端末）、１３  入出力信号名称（制御装置）、１４  連携データ、１５  照合機能。
【図１】
0006053665.tif 000002
【図２】
0006053665.tif 000003
【図３】
0006053665.tif 000004
【図４】
0006053665.tif 000005